(57)【特許請求の範囲】
【請求項１】
投影装置より斜め上方または下方から投影された投影光を前方に回折・散乱させる機能を備えたホログラム素子と
該ホログラム素子と組み合わせられており，該ホログラム素子の中心への該投影光の入射角を含む，特定の入射角の範囲内のみにおいて入射した投影光を散乱させる光散乱素子とからなることを特徴とするホログラムスクリーン。
【請求項２】
請求項１において，上記特定の入射角の範囲は，上記ホログラム素子の上端から下端への上記投影光入射角の範囲内であることを特徴とするホログラムスクリーン。
【請求項３】
請求項１において，上記特定の入射角の範囲は２５〜６０°であることを特徴とするホログラムスクリーン。
【請求項４】
請求項１において，上記光散乱素子の散乱度は５°以上であることを特徴とするホログラムスクリーン。
【請求項５】
請求項１において，上記光散乱素子は投影装置側に配置されていることを特徴とするホログラムスクリーン。
【請求項６】
請求項１〜５のいずれか一項において，上記光散乱素子の垂直透過率は３０〜１００％の範囲内にあることを特徴とするホログラムスクリーン。
【請求項７】
請求項１〜６のいずれか一項において，上記光散乱素子は入射光を少なくとも
ｓｉｎ-1｛ｓｉｎθｉ−λ１／λ０・（ｓｉｎθo −ｓｉｎθｒ）｝
≦θ≦ｓｉｎ-1｛ｓｉｎθｉ−λ２／λ０・（ｓｉｎθo −ｓｉｎθｒ）｝
（ただし，λ０：ホログラム記録波長，λ１＝３８０ｎｍ，λ２＝７８０ｎｍ［可視光領域が３８０〜７８０ｎｍ］，θｒ：参照光入射角，θｏ：物体光入射角，θｉ：回折光出射角）
にかかる数式によって決まる角度θの範囲内に散乱させることを特徴とするホログラムスクリーン。
【発明の詳細な説明】
【０００１】
【技術分野】
本発明は，ホログラム素子をスクリーンとして利用する透過型のホログラムスクリーンに関するものである。
【０００２】
【従来技術】
ショーウィンドウ等に貼り付け，動画または静止画による広告等を映すディスプレイとして使用する透明なホログラムスクリーンを図１７に示す。
上記ホログラムスクリーン９は，図１７に示すように観察者６に対してホログラム素子１１の背後の下方（または上方）に設けた投影装置２（例えばプロジェクター等）からホログラム素子１１上に投影光２１を投射し，映像を結像させ，ホログラム素子１１によってこの投影光２１を前方に回折・散乱させることにより観察者６に映像を認識させるものであった。
【０００３】
このような透過型のホログラムスクリーン９に用いるホログラム素子１１は，図１８に示すごとき露光光学系８により拡散体８８を感光部材８５に記録することにより作製されていた。
【０００４】
ここにレーザー発振器８０（例えばＡｒレーザー）より発せられたレーザー光８００（例えば波長５１４．５ｎｍ）は半透明鏡８９０において二方向に分割される。
一方の光は２枚の反射鏡８９１を経て対物レンズ８３１により発散光となした後，感光部材８５に投射される。なお，この光が参照光８６である。
また，他方の光も２枚の反射鏡８９２を経て対物レンズ８３２により発散光となした後，放物面鏡８９に導入される。該放物面鏡８９で反射された光は拡散体８８を透過して拡散光となした後，感光部材８５に投射される。なお，この拡散体８８からの光が物体光８７となる。
【０００５】
【解決しようとする課題】
しかしながら，このように作製されたホログラム素子１１を用いたホログラムスクリーン９では，投影装置２から投影された映像が緑系の色調を帯びる等，投影された映像の色が充分再現されないという問題が生じていた。
【０００６】
ところで，上記ホログラム素子１１の分光特性を図１９に示すごとき方法にて測定する。
この測定方法において，白色光９０１を図１８に示す露光光学系８の参照光８６の感光部材８５への入射角θｒに等しい角度でホログラム素子１１に入射させ，該ホログラム素子１１からの回折光の中で，特に０°方向に出射された回折光９０２の波長と効率（＝１００×０°方向への回折光の強度／白色光の強度［％］）とを測定する。なお，上記０°方向とはホログラム素子１１の表面に対して垂直となる方向である。
【０００７】
この測定結果より図２０にかかる線図のような分布を持った分光特性が得られた。同図によるとこの特性は青〜緑の波長域にピークを持ち，赤領域の波長が弱くなっていることが判明した。
つまり，ホログラム素子１１は波長により効率が大きく異なる分布を持った分光特性を有することから，映像の色再現性が悪くなっていると考えられる。
【０００８】
本発明は，かかる問題点に鑑み，色再現性に優れたホログラムスクリーンを提供しようとするものである。
【０００９】
【課題の解決手段】
請求項１の発明は，投影装置より斜め上方または下方から投影された投影光を前方に回折・散乱させる機能を備えたホログラム素子と
該ホログラム素子と組み合わせられており，該ホログラム素子の中心への該投影光の入射角を含む，特定の入射角の範囲内のみにおいて入射した投影光を散乱させる光散乱素子とからなることを特徴とするホログラムスクリーンにある。
【００１０】
これにより，ホログラムスクリーンの背景光は透過し，投影装置からの投影光のみを散乱することができる。よって，ホログラムスクリーンの透明性を損なうことなく色再現性を高めることができる。
【００１１】
なお，上記特定の入射角の範囲とは，ホログラムスクリーンの大きさと投影装置との位置関係等により決定される。
即ち，後述する図５に示すように，ホログラムスクリーンでは中心への入射角はｍ°となるが，ホログラムスクリーンの端部においてはｌまたはｎ°となる。この場合，ｌ〜ｎの範囲にて入射する光を散乱可能な光散乱素子が好ましい。
すなわち，上記特定の入射角の範囲は，上記ホログラム素子の上端から下端への上記投影光入射角の範囲内であることが好ましい（請求項２）。
【００１２】
【発明の実施の形態】
また，上記特定の入射角の範囲は２５〜６０°であることが好ましい（請求項３）。
投影装置からの投影光がホログラムスクリーンの中央部に入射する場合の角度としては一般には３５°前後であるケースが多い。
このような場合には，およそ２５〜６０°という入射角の範囲の光を散乱することができる光散乱素子を使用することが好ましい。
【００１３】
また，上記光散乱素子の散乱度は５°以上であることが好ましい（請求項４）。
散乱度が５°以上である光散乱素子を使用することにより，後述の実施例２の図１４より知れるごとく，本発明の効果を確実に得ることができる。
散乱度が５°未満である場合は本発明の効果を得ることが困難となるおそれがある。また，上記散乱度の上限は後述する請求項６により定めることが好ましい。これより散乱度が大きい場合には，投影成分が散乱されすぎて映像が暗くなったり，ホログラムスクリーンの透明性が損なわれるおそれがある。
なお，散乱度の定義は後述の実施例２に記載した。
【００１４】
請求項４の発明にかかるホログラムスクリーンはホログラム素子に対し光散乱素子を組合わせたものである。
ここで光散乱素子の効果について説明するが，該光散乱素子の効果を明確にするために，まず透過型のホログラムスクリーンの原理について説明する。
【００１５】
前述した図１８に示すごとき露光光学系８にかかる拡散体８８を記録したホログラム素子には，様々の傾きを持った干渉縞が記録されることとなる。
即ち，ホログラム素子のどの部分においても，１ヶ所に１種類の傾きの干渉縞が記録されているのではなく，１ヶ所に多種類の傾きの干渉縞が多重に記録されている。
【００１６】
このようなホログラム素子の状態を図８に模式的に記載した。
ただし，図８は分かりやすくするために３種類の傾きの干渉縞について各３本の干渉縞を記載し，該干渉縞の中の１本を特に太線にて記載した。実際のホログラム素子においてはもっと多くの干渉縞が記録されている。
【００１７】
上記干渉縞の傾きは，図９に示すごとく，露光光学系８において感光部材８５上の任意の点８５０において，参照光８６０と干渉する物体光８７０が拡散板８８上のどの位置から入射してくるかによって決定される。
例えば，図８の干渉縞ａは図９の物体光８−ａと参照光８６０とが干渉して形成されたものであり，図８の干渉縞ｂあるいはｃは図９の物体光８−ｂあるいは８−ｃと参照光８６０とが干渉して形成されたものである。
【００１８】
このような干渉縞ａあるいはｂに白色光２９が露光光学系８にかかる参照光８６と同じ角度θｒで入射したときの回折光２９０の状態を図１０に示す。
図１０（ａ）は干渉縞ａに白色光２９が入射した場合について記載し，図１０（ｂ）は干渉縞ｂに白色光２９が入射した場合について記載した。
【００１９】
干渉縞ａに白色光２９が入射した場合，矢線ｙの方向に記録波長と同じ波長の光が回折される。この矢線ｙの方向は図９に示した物体光８−ａと同じ方向である。上記白色光２９より得られる回折光２９０はこの矢線方向ｙに回折された回折光以外の成分として，記録波長より長波長の光で矢線ｘの方向に回折された成分，短波長の光で矢線ｚの方向に回折された成分よりなる。
【００２０】
つまり，白色光２９は図１０（ａ）に示す楕円状の範囲に色分離された回折光２９０となってホログラム素子より前方に回折・散乱される。
そして，上記回折光２９０の中で，特に０°方向である矢線ｖの方向に回折された回折光の成分のみが前述した分光特性の測定において検出される。
【００２１】
また，図１０（ｂ）には干渉縞ｂに対し白色光２９が入射した場合について記載した。この場合には，上記白色光２９は同図に示した楕円状の範囲に色分離されつつ回折・散乱され，回折光の中でも記録波長と同じ波長の光は矢線ｙの方向に回折される。そしてこの場合，矢線ｙの方向が０°方向と等しくなるため，分光特性の測定において検出されるのは矢線ｙ方向に回折された光である。
このように干渉縞の傾きに応じて０°方向に回折される光の波長が異なる。
【００２２】
以上より，ホログラム素子の任意の部分に対し記録された全ての干渉縞によって様々な波長と向きを持った回折光が形成される。
そして，全ての干渉縞によって形成された０°方向の回折光の総和が分光特性において検出され，前述した図２０に示すごとき青及び緑の領域にピークを持った分光特性の線図を形成するのである。
そして，この分光特性はスクリーン正面に居る観察者の目に入るホログラムスクリーンからの光の状態を反映する（つまり，観察者においてもホログラムスクリーンからの回折光が青あるいは緑の色調を帯びていると観測される）。
【００２３】
ここに，図１１を用いて，図１０（ｂ）に示す干渉縞ｂに対し白色光２８を露光光学系８にかかる参照光８６の入射角θｒより大きな角度ｇで入射させた場合の回折光２９０の状態について説明する。
【００２４】
Ｂｒａｇｇの回折公式からも分かるように，このようなケースでは記録波長と同じ波長の光は矢線ｚ方向に回折され，記録波長より長波長の光が矢線ｘの方向，即ち０°方向に回折されることとなる。
逆に，白色光を入射角θｒより小さな角度で入射させた場合には，記録波長より短波長の光が０°方向に回折されることとなる。
【００２５】
従って，ある傾きを持った干渉縞に対し，入射角にある程度の範囲を持った白色光が入射した場合，この干渉縞により０°方向に回折される回折光はより広い波長分布を持つこととなる。よって，回折光の分光特性を波長による効率差の少ないブロードなものとすることができる。
つまり，ホログラム素子に対する投影光の入射角にある程度の幅を持たせることで，ホログラム素子からの回折光はより光源色に近い白色に近い状態となる。
【００２６】
本発明は，以上の考察に基づき考案されたものであって，ホログラム素子に対する投影装置からの投影光（上述の説明にかかる白色光に相当する）の入射角にある程度の幅を持たせる手段として，光散乱素子をホログラム素子に組合わせるものである。これにより，投影光の色再現性を高めることができる。
【００２７】
なお，以上の考察は主としてホログラム素子に入射する投影光について述べた。反対にホログラム素子からの出射する回折光を散乱させることによっても，上記と同様の作用を得ることができる。
この場合，白色光を入射させることにより得られたホログラム素子からの回折光は上述したごとく青または緑の波長領域にピークを持っているが，適当な光散乱体を透過させることにより，回折光をより光源色に近い白色な状態とすることができる。
これにより，投影光の色再現性を高めることができる。
【００２８】
以上のように，本発明によれば，色再現性に優れたホログラムスクリーンを提供することができる。
【００２９】
また，上記光散乱素子はホログラム素子に対してある程度の距離をおいて配置することができる。
つまり，光散乱素子が投影光を散乱することによってホログラム素子の上に映像が映るようなものである場合には，ホログラム素子に投影される映像と重なって２重に見えたりすることがないように，ある程度の距離を空ける必要がある。
【００３０】
また，光散乱素子とホログラム素子との間の距離が離れた場合には，ホログラム素子に入射できないほどの角度に散乱された投影光の成分が多くなるため，投影光の利用効率が悪化し，映像が暗くなるおそれがある（投影光の入射する側に光散乱素子を設けた場合）。
このため，光散乱素子とホログラム素子とはできる限り近接させるよう配置することが好ましい。
【００３１】
また，上記光散乱素子は投影装置側に配置されていることが好ましい（請求項５）。あるいは，上記光散乱素子は投影装置側と反対側に配置されていることが好ましい。
【００３２】
また，上記光散乱素子の垂直透過率は３０〜１００％の範囲内にあることが好ましい（請求項６）。
これにより，光散乱素子はホログラムスクリーンの背景光を透過させることができる。従って，観察者からはホログラムスクリーンを通してその背後にある物体を観察することができ，ホログラムスクリーンの応用範囲を広げることができる（ショーウィンドウ等に貼り付け，動画または静止画による広告等を映すディスプレイとして使用する）。
【００３３】
また，上記光散乱素子は入射光を少なくとも
ｓｉｎ−１｛ｓｉｎθｉ−λ１／λ０・（ｓｉｎθｏ  −ｓｉｎθｒ）｝≦θ≦ｓｉｎ−１｛ｓｉｎθｉ−λ２／λ０・（ｓｉｎθｏ  −ｓｉｎθｒ）｝
（ただし，λ０：ホログラム記録波長，λ１＝３８０ｎｍ，λ２＝７８０ｎｍ［可視光領域が３８０〜７８０ｎｍ］，θｒ：参照光入射角，θｏ：物体光入射角，θｉ：回折光出射角）
にかかる数式によって決まる角度θの範囲内に散乱させることが好ましい。
【００３４】
これにより，ほぼ完全に投影装置からの投影光の色を再現することができる。θが上述した範囲の下限未満である場合には，色再現性が悪いと感じるおそれがある。一方，θが上述した範囲を越えた場合には，映像が暗くなり過ぎたり，ホログラムスクリーンの透明性が損なわれるおそれがある。
【００３５】
なお，上記数式でのλ０はホログラム素子を作製する際の記録波長である。つまり，図１８にかかる露光光学系８でのレーザー光８００がＡｒレーザーである場合にはλ０＝５１４．５ｎｍとなる。また，上記λ１，λ２は可視光領域の両端の波長であるためそれぞれ３８０ｎｍと７８０ｎｍとなる。
θｒは図７（ａ）に示すごとく，露光光学系８における感光部材８５上の点８５への参照光８６の入射角であり，θｏは物体光８７の入射角であり，θｉは，図７（ｂ）に示すごとく，ホログラム素子１１にて回折・散乱された回折光２１１の出射角がθｉとなる。
【００３６】
なお，実質的な問題として，物体光８７の入射角θｏ＝０°，回折光２１１の出射角θｉ＝０°として求めた角度に入射光を散乱可能な性能を光散乱素子が持っていれば，目視による投影光の観察には全く問題のない程度の充分な色再現性を得ることができる。
【００３７】
【実施例】
以下に，図面を用いて本発明の実施例について説明する。
（実施例１）
本発明の実施例にかかるホログラムスクリーンにつき，図１〜図７を用いて説明する。
図１に示すごとく，本例のホログラムスクリーン１は，投影装置２より投影された投影光２１を回折させる機能を備えたホログラム素子１１と光散乱素子１２とを組合わせてなり，上記光散乱素子１２は粘着層１３を介して投影装置２側に配置されている。
【００３８】
なお，上記光散乱素子１２は，
ｓｉｎ−１｛ｓｉｎθｉ−λ１／λ０・（ｓｉｎθｏ  −ｓｉｎθｒ）｝≦θ≦ｓｉｎ−１｛ｓｉｎθｉ−λ２／λ０・（ｓｉｎθｏ  −ｓｉｎθｒ）｝
（ただし，λ０：ホログラム記録波長，λ１＝３８０ｎｍ，λ２＝７８０ｎｍ［可視光領域が３８０〜７８０ｎｍ］，θｒ：参照光入射角，θｏ：物体光入射角，θｉ：回折光出射角）
にかかる数式によって決まる角度θの範囲内に入射光を散乱させる機能を有している。
【００３９】
以下，詳細について説明する。
本例にかかるホログラム素子１１は前述した図１８にかかる露光光学系８により作製したものである。該露光光学系８において，図７（ａ）に示したごとく，物体光の入射角θｏが−２０〜１０°となるように拡散板８８が配置されている。また，図７（ａ）に示したごとく参照光８６の入射角θｒは３５°である。
【００４０】
また，図５，図６に示すごとく，投影光２１は光散乱素子１２で散乱され散乱投影光２１０となってホログラム素子１１に入射する。図７（ｂ）に示すごとく，上記散乱投影光２１０はホログラム素子１１にて回折・散乱され回折光２１１となる。この回折光の出射角θｉであるが，観察者はホログラムスクリーンの前方にてスクリーンを観察することから，０°とみなすことができる。
【００４１】
従って，上述の数式において，θｒ＝３５°，θｏ＝０°，θｉ＝０°を代入したところ，θの範囲は２５〜６０°であった。
このような散乱特性を持つ光散乱素子として，本例では粘着層１３を有する指向性光散乱フィルム（住友化学製，ルミスティ−ＭＦＹ−２５５５）を使用した。
【００４２】
上記指向性光散乱フィルムの散乱特性を図２に示した。
この散乱特性は，図３に示すごとき測定系において指向性光散乱フィルムに対し角度３５°で白色光αを入射させ，出射する散乱光βの強度をθ毎に測定したものである。
図２に示すごとく，本例において使用した指向性光散乱フィルムは略２０°以下の角度にて入射した光は透化させてしまうが，２０°を越えた当たりからの光は散乱することができる。但し，現実的な散乱能が得られるのは２５〜６０°の範囲である。
【００４３】
このため，この指向性散乱フィルムを光散乱素子１２としてホログラムスクリーン１に使用することにより，ホログラムスクリーン１の背景光はスクリーンを透過して観察者６に届く。観察者６は背景光を観察することができ，ホログラムスクリーン１が透明であると感じる。
なお，上記粘着層１３は透明度の高い材料より構成されており，ホログラムスクリーンの透明度を損なわない。
【００４４】
次に，図４に前述した従来技術において述べた分光特性を本例にかかるホログラムスクリーン１について測定した結果を記載した。比較のためにホログラム素子１１単体での分光特性についても記載した。
【００４５】
同図より知れるごとく，ホログラムスクリーン１の分光特性は波長による効率差の非常に少ないブロードなものとなり，また，肉眼による観察を通じてもホログラム素子１１単体では映像が緑系の色調を帯びていたものが，ほぼ完全に投影装置の映像の色を再現できたことが確認できた。
【００４６】
次に，本例における作用効果につき説明する。
図５に光散乱素子１２とホログラム素子１１とを組合わせた本例にかかるホログラムスクリーン１を示す。
投影装置２からの投影光２１は光散乱素子１２において散乱投影光２１０となり，ホログラム素子１１に入射する。
図６に示すごとく，ホログラム素子１１上の点Ａから見れば，光散乱素子１２上の別々の位置で散乱された散乱投影光２１０が３ａ，３ｂ，３ｃのように異なる角度から入射してくる。
【００４７】
このように光散乱素子１２を設けることによって，ホログラム素子１１への投影光２１の入射角はある程度の範囲を持つこととなる。
従って，ホログラム素子１１の分光特性をよりブロードにすることができ，ホログラムスクリーン１の色再現性を高めることができる。
【００４８】
なお，上記指向性光散乱フィルムはホログラムスクリーンが完全に透明である必要がない場合は（例えば色付きのスクリーン等），半透明のようなものであってもよい。粘着層１３についても同様である。
また，光散乱素子として，光散乱作用を有するホログラム素子を用いることもできる。例えば本例において使用したものと同じホログラム素子を１枚もしくは複数枚重ねて貼り付けることにより，光散乱素子と同様の効果を得ることができる。
また，本例においては投影装置２側に光散乱素子１２を設けたが，反対に観察者側に光散乱素子を設けることもできる。
【００４９】
（実施例２）
本例は光散乱素子の散乱度にかかる性能試験について図１２〜図１４を用いて説明する。
ここでは，本発明に使用される光散乱素子の最適な散乱度合を求めた。以下にその実験結果を示す。
実験に当たっては，半透明フィルムを１枚〜５枚積層して積層体を構成した。得られた各積層体５２に対し，図１２に示すごとく，波長５１４．５ｎｍのレーザー光よりなる入射光５１を角度３５°にて入射させた。各積層体５２を透過して出てきた出射光５３の輝度を輝度計５を角度θ方向に移動させつつ，測定した。
【００５０】
得られた各θにかかる輝度をＫとし，θ＝０°における輝度をＫ０として，（Ｋ／Ｋ０）×１００［％］なる受光率を算出した。得られた受光率を縦軸に，θを横軸にとって図１３にかかる線図を得た。
同図において，受光率が５０％以上となる場合のθの範囲を散乱度と定義した。つまり，例えば１枚の半透明フィルムにおいては，受光率が５０％以上となる範囲は３４〜３６°である。この場合の散乱度は２°となる。他も同様である。
【００５１】
以上に示した各積層体５２を用いて，実施例１にかかる構造のホログラムスクリーンを作製した。また，比較用に同様の構造で積層体を設けていない従来のホログラムスクリーンも作製した。更に，ホログラム素子を使用しない，通常の不透明な白色スクリーンも準備した。
【００５２】
そして，各ホログラムスクリーン，従来のホログラムスクリーン，不透明な白色スクリーンに対し同じ投影器から同じ投影光を投射して，それぞれのスクリーンに映し出された映像の色合いを複数の観察者が観察した。この観察結果について図１４に記載した。
なお，同図において『変化なし』とは従来のホログラムスクリーンと変わらない状態にあることを示している。『良くなった』とは従来のホログラムスクリーンと比較して色合いが改善された状態にあることを示している。『とても良くなった』とは不透明な白色スクリーンに映る映像と近い状態になったことを示している。
【００５３】
同図より知れるごとく，散乱度が５°以上の光散乱素子でもって作製したホログラムスクリーンに映る映像は殆どの観察者が色の再現性が良くなったと感じたことが分かった。
また，光散乱素子は単独で用いることもありえるが，複数枚を積層して使用することも可能であることが分かった。
【００５４】
（参考例）
本例は図１５，図１６に示すごとくウィンドガラスに貼着して使用するホログラムスクリーンについて説明するものである。
本例にかかるホログラムスクリーン１は，図１５に示すごとく，ホログラム素子１１を粘着剤１３を介してカバーフィルム８５にて挟み，更に光散乱素子１２を粘着剤１３にて貼り付けて構成され，かつ該光散乱素子１２は投影装置２側と反対側に配置されている。
このようなホログラムスクリーン１が粘着剤１３を介してウィンドガラス７０に貼着されている。
その他は実施例１と同様である。
【００５５】
ところで，図１６に上記と同様の構成で光散乱素子１２を持たないホログラムスクリーン７を記載した。
このホログラムスクリーン７に対し，投影装置２より投影光２１を投射した場合，投影光２１はホログラム素子１１において回折・散乱され，出射光２１５となってウィンドガラス７０側より出射する。この出射光２１５により観察者６が観察可能な映像が形成される。
なお，出射光２１５は上述したごとくホログラム素子１１に形成された干渉縞によって広がりを持った状態となるが，本例の図面においては広がりの中心方向のみを記載した。
【００５６】
ところで，上記投影光２１はその全てが回折・散乱されるわけではなく，一部はホログラム素子１１を素通りする。これが０次光２１９である。
上記０次光２１９の射線上に観察者６がきた場合，観察者６の目には０次光２１９が直接入射することとなり，眩しさを感じることとなる。
【００５７】
このような眩しさの問題について，従来はホログラム素子１１における観察者６の側にルーバーフィルタ等を配置して０次光２１９を遮断することにより対処していた。
【００５８】
しかしながら，ルーバーフィルタは０次光２１９と共にたまたま０次光２１９と同方向に回折・散乱された出射光も遮断してしまう。このため，０次光２１９と同方向からホログラムスクリーン７を観察した場合，出射光が届かないことから映像が見えなくなるという問題が発生していた。
【００５９】
しかしながら，本例のホログラムスクリーン１は，図１５に示すごとく，投影装置２と反対側に光散乱素子１２が配置されている。
このため，ホログラム素子１１を素通りした０次光２１９は光散乱素子１２により散乱され，広がりを持った状態となって観察者６の側に拡散する拡散光２１８となる。
【００６０】
このため，０次光２１９と同方向にいる観察者６が眩しさを感じることを防止することができる。
更に，０次光２１９と同方向から届く出射光も拡散されることとなるが，遮断されることはない。よって，映像が見えなくなることもない。
なお，本例においても実施例１と同様の作用効果を有する。
【図面の簡単な説明】
【図１】実施例１にかかる，ホログラムスクリーンの使用説明図。
【図２】実施例１にかかる，光散乱素子の散乱特性を示す線図。
【図３】実施例１にかかる，光散乱素子の散乱特性の測定系についての説明図。
【図４】実施例１にかかる，本例のホログラムスクリーン及びホログラム素子単体での分光特性を示す線図。
【図５】実施例１にかかる，本例のホログラムスクリーンの構造を示す説明図。
【図６】実施例１にかかる，本例のホログラムスクリーンにおける光散乱素子の効果を示す説明図。
【図７】実施例１にかかる，（ａ）ホログラム素子作製用の露光光学系における要部説明図，（ｂ）ホログラム素子からの回折光についての説明図。
【図８】ホログラム素子中の干渉縞についての説明図。
【図９】ホログラム素子作製用の露光光学系における要部説明図。
【図１０】ホログラム素子中のある干渉縞と該干渉縞にて干渉された白色光の状態に関する説明図。
【図１１】ホログラム素子中のある干渉縞に白色光を露光光学系にかかる参照光の入射角θｒより大きな角度ｇで入射させた状態についての説明図。
【図１２】実施例２にかかる，受光率の測定方法を示す説明図。
【図１３】実施例２にかかる，積層体とθにおける受光率との関係を示す説明図。
【図１４】実施例２にかかる，散乱度と色の再現性の状態との関係を示す分布図。
【図１５】参考例にかかる，投影装置と反対側に光散乱素子を設けたホログラムスクリーンの断面説明図。
【図１６】参考例にかかる，光散乱素子のないホログラムスクリーンの断面説明図。
【図１７】従来例にかかる，ホログラムスクリーンの使用説明図。
【図１８】ホログラム素子作製用の露光光学系の説明図。
【図１９】ホログラム素子の分光特性の測定系についての説明図。
【図２０】ホログラム素子の分光特性を示す線図。
【符号の説明】
１．．．ホログラムスクリーン，
１１．．．ホログラム素子，
１２．．．光散乱素子，
２．．．投影装置，
２１．．．投影光，
【図１】
0003552706.tif 000002
【図２】
0003552706.tif 000003
【図３】
0003552706.tif 000004
【図４】
0003552706.tif 000005
【図５】
0003552706.tif 000006
【図６】
0003552706.tif 000007
【図７】
0003552706.tif 000008
【図８】
0003552706.tif 000009
【図９】
0003552706.tif 000010
【図１０】
0003552706.tif 000011
【図１１】
0003552706.tif 000012
【図１２】
0003552706.tif 000013
【図１３】
0003552706.tif 000014
【図１４】
0003552706.tif 000015
【図１５】
0003552706.tif 000016
【図１６】
0003552706.tif 000017
【図１７】
0003552706.tif 000018
【図１８】
0003552706.tif 000019
【図１９】
0003552706.tif 000020
【図２０】
0003552706.tif 000021